(57)【要約】【課題】脱臭効果において優れた薄板状の竹炭材を用い、該竹炭材のケースを該竹炭材ができるだけ庫内の空気の流れに触れるように構成した冷蔵庫用脱臭器を提供する。【解決手段】脱臭用竹炭材１０を薄板状に成形して収容する合成樹脂製のケース１を、多孔の表裏蓋２，３を可撓の薄肉ヒンジ部４で連結すると共に、対向する側辺に相互に係止片５ａ，５ｂを設けることにより開閉自在に形成し、上記ケースの一つの側辺に脚面７を設ける。上記表裏蓋は、それぞれ上下方向の中央部に帯状の無孔の補強部２ａ，３ａを脚面と平行に設けてその上下両側を上記多孔の領域２ｂ，３ｂとし、ケース１内には、着色半透明の不織布からなるカバー１１内に収容した竹炭材１０を、表裏蓋の各内側面に突設した支持突子９により該内側面との間に通気間隙１２を介在させて収容する。【選択図】図２
0003172433.tif 000002
【実用新案登録請求の範囲】
【請求項１】
脱臭用竹炭材を板状に成形して収容する合成樹脂製のケースを、多孔の表裏蓋の一側辺間を可撓の薄肉ヒンジ部を介して連結すると共に、上記側辺に対向する側辺に相互に係合する係止片を設けることにより該表裏蓋を開閉自在に形成し、
上記ケースの一つの側辺に立設用の脚面を設け、
上記表裏蓋は、それぞれ上下方向の中央部に帯状の無孔の補強部を上記脚面と平行に配設してその上下両側を上記多孔の領域とし、
上記ケース内には、薄板状に成形して、着色半透明の不織布からなる通気性のカバー内に収容した竹炭材を、表裏蓋の各内側面に突設した支持突子により該各内側面との間に通気間隙を介在させて収容している、
ことを特徴とする冷蔵庫用脱臭器。
【請求項２】
上記補強部の幅を、表裏蓋の上下方向の幅の１５〜３０％とし、該補強部の上下に総開口面積が均等の多孔の領域を形成した、
ことを特徴とする請求項１に記載の冷蔵庫用脱臭器。
【請求項３】
上記薄板状の竹炭材の厚さが１０ｍｍに満たない厚さである、
ことを特徴とする請求項１または２に記載の冷蔵庫用脱臭器。
【請求項４】
上記薄板状の竹炭材の厚さが５〜７ｍｍである、
ことを特徴とする請求項３に記載の冷蔵庫用脱臭器。
【考案の詳細な説明】
【技術分野】
【０００１】
本考案は、冷蔵庫内に配設して該庫内において発生する臭いを吸着させるための冷蔵庫用脱臭器に関するものである。
【背景技術】
【０００２】
従来から、合成樹脂等の多孔のケース内に脱臭剤を収容した脱臭器を冷蔵庫内の棚上等に配設するように形成した冷蔵庫用脱臭器は、きわめて一般的に知られている。この種の冷蔵庫用の脱臭器は、一般に冷蔵庫内の棚上等に配設するに当たり、厚板状や筒状等に形成して冷蔵庫内に立てて置くようにし、庫内への冷蔵品の収容量を制限しないようにすると同時に、ケース上に冷蔵品を置き難くするなどして、ケースに設けた多孔を通して内部の脱臭剤ができるだけ庫内の空気の流れに触れるように配慮している。
【０００３】
しかしながら、この種の脱臭器ではできるだけ脱臭効果を高めることが望まれ、そのためにケース内への脱臭剤の収容量を多くすると、それだけケースの容量を大きくする必要が生じ、冷蔵庫内の棚上に置く場合に大きなスペースが必要となって、庫内への冷蔵品の収容量が制限されることになる。
このような問題を解決し、脱臭器を冷蔵庫内の棚上に置くに当たって冷蔵品の収容をできるだけ妨げないようにするには、脱臭剤としてそれ自体が若干のコスト高であっても脱臭性能においてすぐれたものを用い、しかも、その脱臭剤を収容するケースとして、該脱臭剤の性能を有効に利用できるものであることが有効である。
かかる観点からすれば、極めて脱臭効果においてすぐれている竹炭を用いるのが有利であり、それをどのような態様において冷蔵庫内に配設するかが問題になる。
【考案の概要】
【考案が解決しようとする課題】
【０００４】
本考案の技術的課題は、脱臭効果において非常に優れている竹炭材を用い、該竹炭材のケースを、小型且つ薄型で該竹炭材ができるだけ庫内の空気の流れに触れるように構成した冷蔵庫用脱臭器を提供することにある。
【課題を解決するための手段】
【０００５】
上記課題を解決するために、本考案によれば、脱臭用竹炭材を板状に成形して収容する合成樹脂製のケースを、多孔の表裏蓋の一側辺間を可撓の薄肉ヒンジ部を介して連結すると共に、上記側辺に対向する側辺に相互に係合する係止片を設けることにより該表裏蓋を開閉自在に形成し、上記ケースの一つの側辺に立設用の脚面を設け、上記表裏蓋は、それぞれ上下方向の中央部に帯状の無孔の補強部を上記脚面と平行に配設してその上下両側を上記多孔の領域とし、上記ケース内には、薄板状に成形して、着色半透明の不織布からなる通気性のカバー内に収容した竹炭材を、表裏蓋の各内側面に突設した支持突子により該各内側面との間に通気間隙を介在させて収容していることを特徴とする冷蔵庫用脱臭器が提供される。
【０００６】
本考案に係る冷蔵庫用脱臭器の好ましい実施形態においては、上記ケースにおける補強部の幅を、表裏蓋の上下方向の幅の１５〜３０％とし、該補強部の上下に総開口面積が均等の多孔の領域を形成したものとして構成される。
また、本考案に係る冷蔵庫用脱臭器の他の好ましい実施形態においては、上記薄板状の竹炭材の厚さを１０ｍｍに満たない厚さとし、更に望ましくは、該竹炭材の厚さを５〜７ｍｍとして構成される。
【０００７】
上述した本考案に係る冷蔵庫用脱臭器は、薄板状に成形した竹炭材を収容するケースを表裏蓋の一側辺の脚面において冷蔵庫内に立てて使用するものであるが、ケースの表裏蓋の上下方向の中央部に帯状の補強部を設けて、その上下両側を多孔の領域とし、表裏蓋の内側の支持突子により該各内側面と竹炭材との間に通気間隙を介在させているので、以下に詳述するように、冷蔵庫内の気流を竹炭材のほぼ全体に対して満遍なく接触させることができ、しかも、上記補強部により多孔のケースの強度を効果的に高めることができる。
【０００８】
即ち、一般に冷蔵庫は、冷蔵品を載置する棚が通気可能なものとして構成され、そのため、該棚の直上及び直下部分は空気の流れが生じ易く、また、冷蔵品の上方は棚の直下に連なって通気空間があって通気し易く、そのため、庫内空気の温度差により庫内の上下方向に冷気の流れが生じるが、それが冷蔵品の間を通して上下方向に流通し、水平方向には冷気の流れが生じ難いものである。そのため、冷蔵庫内に立てて使用する板状のケースの表裏蓋を広範囲にわたって多孔に形成しても、その多孔を通して水平方向に通気することはあまり期待できない。
【０００９】
これに対し、本考案に係る脱臭器においては、上述したように、ケースの表裏蓋の上下方向の中央部における帯状の補強部の上下両側を多孔とし、表裏蓋の内側に支持突子により通気間隙を介して竹炭材を収容しているので、表裏蓋の上下の多孔が、主として、空気の流れが生じ易い庫内の棚の直上部分と冷蔵品の上方部分とに対面して開口し、しかも、表裏蓋の上下の多孔がケース内面と竹炭材との間の支持突子による通気間隙を通して連通しているので、上下の多孔間の空気の流通は良好に行われ、その流通時に空気と竹炭材との接触で該空気が効果的に脱臭されるものである。
【００１０】
また、ケースの表裏蓋の上下方向の中央部に帯状の無孔の補強部を設けているので、該補強部内に位置する竹炭材が該補強部で隠蔽された部位にあるかの如く見受けられるが、上述した上下の多孔間における通気間隙を通じての通気に際し、その気流が補強部の内側でそこに存在する竹炭材と接触するので、補強部の内側に位置する竹炭材も十分に脱臭機能を発揮できることになる。気流が流通しやすいケースの表裏蓋の上下の多孔部分の内側に位置する竹炭材がその近辺を流通する気流と接触して効果的な脱臭を行うのは勿論である。
結果的に、上記脱臭器によれば、冷蔵庫内の気流を竹炭材のほぼ全体に対して満遍なく接触させることができる。
【００１１】
しかも、上記表裏蓋における帯状の補強部は、上述のようにその内側の竹炭材を隠蔽するような位置にあってもその脱臭効果を阻害するものではなく、逆に、該補強部の上下を多孔にしたケースの強度を高めるために有効に機能するものであり、補強部の上下の多孔の領域における開孔率を高めることができる。上記ケースにおける補強部の幅としては、上述した気流の流通を確保しながら、多孔のケースの強度を保つために、表裏蓋の上下方向の幅の１５〜３０％として、該補強部の上下に総開口面積が均等の多孔の領域を形成するのが望ましい。
【００１２】
また、上記ケース内には、薄板状に成形した竹炭材を、着色半透明の不織布からなる通気性のカバー内に収容して、表裏蓋の内側面に突設した支持突子により多孔の表裏蓋の各内側面との間に通気間隙を介在させて収容しているが、この竹炭材自体は黒色でそれに触れると竹炭の微粉が飛散するような外観を呈し、そのため、冷蔵庫のような食品を収納するものにおいて外側から竹炭材を明瞭に目視可能にしておくことは、それを見る人に却って不潔感を与え兼ねないものである。そのため、竹炭材を上記着色半透明の不織布からなる通気性のカバー内に収容しておくことは、ケース自体の外観としてはカラフルでありながら、ケースの孔を通して竹炭材を覗き見たときには、脱臭効果に優れた竹炭の存在を不潔感を持たない状態で知得できる点で有効なものである。
【考案の効果】
【００１３】
以上に詳述した本考案の冷蔵庫用脱臭器によれば、脱臭効果において非常に優れている竹炭材を用い、該竹炭材のケースを、小型且つ薄型で冷蔵品の収容の邪魔にならないようにしながら、該竹炭材ができるだけ庫内の空気の流れに触れるように構成した冷蔵庫用脱臭器を提供することができる。
【図面の簡単な説明】
【００１４】
【図１】本考案に係る冷蔵庫用脱臭器の実施例の外観を示す斜視図である。
【図２】上記実施例の縦断面図である。
【図３】上記実施例におけるケースの内面側の構成を示す正面図である。
【図４】上記実施例のケースを斜め下方から見た斜視図である。
【図５】上記実施例の下面図である。
【考案を実施するための形態】
【００１５】
図１〜図５は、本考案に係る冷蔵庫用脱臭器の実施例を示している。この冷蔵庫用脱臭器は、脱臭用竹炭材１０を板状に成形して収容する合成樹脂製の薄型板状のケース１を、多孔の表裏蓋２，３の一側辺間を可撓の薄肉ヒンジ部４を介して連結すると共に、該ケース１を、上記薄肉ヒンジ部４を設けた側辺に対向する側辺に、相互に弾性的に係合する係止片５ａ，５ｂを設けることにより、該表裏蓋２，３を開閉自在に形成したものである。従って、竹炭材１０の脱臭効果が低下したときにはそれを容易に取り出して再生させ、あるいは、新品と交換交換することができる。そして、上記ケース１の係止片５ａ，５ｂを設けた側辺に、表裏蓋２，３の下端から若干膨出する一対の脚部６を設け、その下面を平坦化することにより立設用の脚面７を形成している。
【００１６】
上記表裏蓋２，３は、それぞれ上下方向の中央部に帯状の無孔の補強部２ａ，３ａを上記脚面７と平行に配設して、その上下両側を、多数の孔８を設けた多孔の領域２ｂ，３ｂとすることにより、ケース１内外の通気性を確保し、上記ケース１内には、薄板状に成形した竹炭材１０を着色半透明の不織布からなる通気性の袋状のカバー１１内に収容して内装しているが、その際、表裏蓋２，３の各内側面に突設した複数の支持突子９により該竹炭材１０を上記表裏蓋２，３の内側面との間に通気間隙１２を介在させて収容している。上記ケース１における補強部２ａ，３ａの幅は、後述するように、表裏蓋２，３の上下方向の幅の１５〜３０％とするのが望ましく、そして、該補強部２ａ，３ａの上下にそれぞれの総開口面積が均等になるようにした多孔の領域２ｂ，３ｂが形成される。表裏蓋２，３の上下方向の中央に位置する補強部２ａ，３ａは、その外面が比較的広い面積をもつように形成されるので、そこに、この脱臭器の使用法や特長、効能等の説明を記載することができる。
【００１７】
前述したように、一般に冷蔵庫は、庫内空気の温度差により庫内の上下方向に冷気の流れが生じやすく、しかも、冷蔵品の間には上下方向に冷気が流通する通路が形成されやすいが、冷蔵品間において水平方向には冷気の流れが生じる通路が生じ難く、そのため、冷蔵庫内に立てて使用する薄板状のケース１の表裏蓋２，３を多孔に形成しても、そのケース内の竹炭材１０を通して通気することはあまり期待できない。しかし、冷蔵庫内の上下方向に冷気の流れが生じやすいとしても、竹炭材１０を冷蔵庫内の棚等の上に寝かせて使用することは、冷蔵品の収納場所を極端に制限するので避けるべきである。
【００１８】
これに対し、上記脱臭器においては、ケース１の表裏蓋２，３の上下方向の中央部における帯状の補強部２ａ，３ａの上下両側を多孔の領域２ｂ，３ｂとし、表裏蓋２，３の内側に支持突子９により通気間隙１２を介して竹炭材１０を収容しているので、表裏蓋２，３の上下の多孔が、主として、空気の流れが生じ易い庫内の棚の直上部分と冷蔵品の上方部分とに対面して開口し、しかも、表裏蓋２，３の上下の多孔がケース内面と竹炭材との間の支持突子９による通気間隙１２を通して相互に連通しているので、上下の多孔の領域２ｂ，３ｂ間の空気の流通が良好に行われ、その流通時に空気と竹炭材１０との接触で該空気が効果的に脱臭されるものである。
【００１９】
また、ケース１の表裏蓋２，３の上下方向の中央部に帯状の補強部２ａ，３ａを設けているので、該補強部内に位置する竹炭材１０が該補強部２ａ，３ａで隠蔽された部位にあるかの如く見受けられるが、上述した上下の多孔の領域２ｂ，３ｂ間における通気間隙１２を通じての通気に際し、その気流が補強部２ａ，３ａの内側でそこに存在する竹炭材１０と接触するので、補強部の内側に位置する竹炭材も十分に脱臭機能を発揮できることになる。気流が流通しやすいケース１の表裏蓋２，３の上下の多孔の領域２ｂ，３ｂの内側に位置する竹炭材がその近辺を流通する気流と接触して効果的な脱臭を行うのは勿論である。
結果的に、上記脱臭器によれば、冷蔵庫内の気流を竹炭材のほぼ全体に対して満遍なく接触させることができる。
【００２０】
しかも、上記表裏蓋２，３における帯状の補強部２ａ，３ａは、該補強部２ａ，３ａの上下を多孔にしたケース１の強度を高めるために有効に機能するものである。この補強部２ａ，３ａによる表裏蓋２，３の強度確保により、補強部２ａ，３ａの上下の多孔の領域２ｂ，３ｂにおける開孔率を十分に高めることができる。上記ケース１における補強部２ａ，３ａの幅としては、上述した気流の流通を確保しながら、多孔のケース１の強度を保つために、表裏蓋２，３の上下方向の幅の１５〜３０％とするのが望ましい。
【００２１】
上記薄板状をなす竹炭材１０は、粉粒状とした竹炭を、必要に応じて若干のバインダーを混入して薄板状に加圧成形し、結果的に厚さ方向に通気性を持たせたものである。
しかしながら、上記竹炭材１０はその厚さ方向に空気を積極的に流通させて脱臭を行うものではなく、その表面に沿って空気を流して脱臭するものであるから、竹炭材１０の厚さを増大させても脱臭能力を格別高めることは期待できず、そのため、該竹炭材１０の厚さは、その表裏両面を流れる空気が侵入して脱臭される程度でよく、加圧成形した竹炭材１０の密度にもよるが、１０ｍｍを超える厚さは不必要であり、望ましくは、５〜７ｍｍの厚さにして、脱臭器自体を小型化するのが望ましい。
【００２２】
また、上記竹炭材１０は、着色半透明の不織布からなる通気性のカバー１１内に収容して、表裏蓋２，３内に収容しているが、該カバー１１は、竹炭の微粉が庫内に飛散するのを抑止すると共に、冷蔵庫のような食品を収納するものに用いる脱臭器として、その外観をカラフルにして清潔感をもたせるものである。
【符号の説明】
【００２３】
１        ケース
２，３    表裏蓋
２ａ，３ａ    補強部
２ｂ，３ｂ    多孔の領域
３        蓋体
４        薄肉ヒンジ部
５ａ，５ｂ    係止片
７        脚面
８        孔
９        支持突子
１０        竹炭材
１１        カバー
１２        通気間隙
【図１】
0003172433.tif 000003
【図２】
0003172433.tif 000004
【図３】
0003172433.tif 000005
【図４】
0003172433.tif 000006
【図５】
0003172433.tif 000007